(57)【要約】【課題】冷蔵庫の意匠性を向上させる。【解決手段】前方が開口した貯蔵室と、貯蔵室に配された固定の棚と、を有し、固定の棚は、棚の後端側に位置するねじ孔部に挿通した固定具で貯蔵室内に固定されている冷蔵庫。【選択図】図３
2019138478.tif 000002
【特許請求の範囲】
【請求項１】
前方が開口した貯蔵室と、
該貯蔵室に配された固定の棚と、を有し、
該固定の棚は、該棚の後端側に位置するねじ孔部に挿通した固定具で前記貯蔵室内に固定されている冷蔵庫。
【請求項２】
前記ねじ孔部は、略鉛直方向にねじ孔を有することを特徴とする請求項１に記載の冷蔵庫。
【請求項３】
前記固定の棚は、
平板部と、
該平板部から上方に向けて突出し、前記平板部及び前記ねじ孔部の間に位置する後壁と、を有し、
該後壁は、不透明であり、
前記ねじ孔部は、前記後壁の上端より低い高さに位置することを特徴とする請求項２に記載の冷蔵庫。
【請求項４】
前記ねじ孔部は、風路カバーによって上方を覆われていることを特徴とする請求項３に記載の冷蔵庫。
【請求項５】
前記風路カバーは、水平方向に挿通された固定具で固定され、
該固定具の前方に、別の固定の棚が固定されていることを特徴とする請求項４に記載の冷蔵庫。
【請求項６】
前記固定の棚に固定されたしきりを有し、
前記固定の棚は、
コ字状の凹条と、
該凹条の一端を塞ぐ端壁と、
該凹条の一端側上方を塞ぐ蓋壁と、
該凹条の他端に配された開放部と、を有し、
前記しきりは、前記端壁、前記蓋壁及び前記凹条の間に進入可能な突き当り部を有することを特徴とする請求項３乃至５何れか一項に記載の冷蔵庫。
【発明の詳細な説明】
【技術分野】
【０００１】
本発明は冷蔵庫に関する。
【背景技術】
【０００２】
特許文献１は、冷蔵室棚板２ｄが、固定部材を用いて水平方向に機械的に固定される構成を開示している（段落００１５、００１６、図３）。
【先行技術文献】
【特許文献】
【０００３】
【特許文献１】特開２０１６−１３０５９１号公報
【発明の概要】
【発明が解決しようとする課題】
【０００４】
特許文献１の構成では、冷蔵室棚板２ｄに棚板係止用の穴１６が設けられている突起部（図３中の符号９，１５）が設けられているが、棚の手前側に配置されていることから、意匠性の観点から好ましいとされている下側固定（図３中の符号１５）でも比較的目視されやすい位置となっている。そのため、意匠性の観点から改善の余地がある。
【課題を解決するための手段】
【０００５】
上記事情に鑑みてなされた本発明の冷蔵庫は、
前方が開口した貯蔵室と、
該貯蔵室に配された固定の棚と、を有し、
該固定の棚は、該棚の後端側に位置するねじ孔部に挿通した固定具で前記貯蔵室内に固定されている。
【図面の簡単な説明】
【０００６】
【図１】本発明の実施例１に係る冷蔵庫本体の一例を示す斜視図。
【図２】実施例１に係る冷蔵室の扉を開けた状態の正面図。
【図３】実施例１に係る冷蔵室棚の斜視図。
【図４】図３のＡ−Ａ断面図。
【図５】実施例１に係る冷蔵室しきりの側面図。
【図６】実施例１に係る風路カバー、半幅棚、及び固定の冷蔵室棚の分解斜視図。
【図７】図２のＢ−Ｂ断面図。
【発明を実施するための形態】
【０００７】
以下、本発明の実施例を添付図面を参照しつつ説明する。
【実施例１】
【０００８】
図１は本実施例の冷蔵庫本体１の斜視図、図２は扉を開けた状態の冷蔵室２の正面図である。
冷蔵庫本体１は内部に貯蔵室を構成する冷蔵室２、製氷室３、上段冷凍室４、下段冷凍室５、野菜室６等を備えている。
冷蔵室２内には、可動の冷蔵室棚７、固定の半幅棚８及び可動の可変棚９、固定の冷蔵室棚１０、しきり１１、内部貯蔵室１２、冷却パネル１４、風路カバー１５が設けられている。
【０００９】
（可動の冷蔵室棚７とリブ２１）
冷蔵室棚７は、冷蔵室２の上方部に１つ又は複数備えられている。冷蔵室２の左右それぞれの内壁には、前後方向に延在して凸形状のリブ２１が設けられている。１つのリブ２１には、略同一の高さで冷蔵室２の反対側の内壁に、対となるもう１つのリブ２１が存在しており、何れか１対のリブ２１で可動の冷蔵室棚７を支えることができる。これにより、冷蔵室棚７は略水平に支持される。
各対のリブ２１は、上下方向にある程度離間して複数対が配されており、収納する食品の形状に応じて、冷蔵室棚７を設ける高さをある程度調整できるようになっている。
【００１０】
（半幅棚８、可変棚９、しきり１１）
半幅棚８及び可変棚９は、可変棚７よりも左右寸法が小さい棚であり、半幅棚８は冷蔵室２内で固定され、可変棚９は可動に設けられている。
【００１１】
半幅棚８は、最も下側の対のリブ２１の１つに支持されており、可変棚９は、半幅棚８と略同一の高さに設けることもできるよう構成されている。
最も下側の対のリブ２１の１つは半幅棚８の一端を支持し、もう１つのリブ２１は、可変棚９の一端を支持している。半幅棚８及び可変棚９の他端は、垂直方向に延在するしきり１１の上端で支持されている。しきり１１は固定の冷蔵室棚１０の上面側に固定されている。
最も下側の対のリブ２１より下方には、可変棚用第１リブ２２と、可変棚用第２リブ２３が設けられている。可変棚用第１リブ２２は、冷蔵室２の左右内壁のうち、半幅棚８が位置する側とは反対側に設けられている。可変棚用第２リブ２３は、しきり１１のうち可変棚用第１リブ２２と略同一高さの部分に設けられている。
【００１２】
半幅棚８と可変棚９は、冷蔵室２の内壁面の間に左右幅一杯になるように設けられている。
【００１３】
半幅棚８の底面には、後述するしきり１１の上部の切欠き１１４に嵌合する例えば溝が設けられている。そのため、半幅棚８は、可動の冷蔵室棚７や可変棚９と違い、棚の高さを調整することができない又は困難にされている。
【００１４】
一方、可変棚９は、収納する食品の高さに合わせ、例えば、しきり１１と可変棚用第１リブ２２で支えたり、冷蔵室棚１０上に単に載置することができる。
【００１５】
（固定の冷蔵室棚１０）
図３は実施例１に係る冷蔵室棚１０の斜視図、図４は図３のＡ−Ａ断面図である。
冷蔵室棚１０には、しきり１１の下端側が固定されている。また、冷蔵室棚１０は、冷蔵室２の内壁又は冷却パネル１４に対して、ねじ孔部１０３に挿通したねじ等の固定具を利用して固定されている。棚を固定する固定態様としては、ねじ以外に、他の部材との係合、比較的大形の金属製の他部材を利用するなど種々公知の態様が考えられるが、本実施例のように、ねじ孔に挿通するねじ、特に金属製のねじを固定具として採用することが好ましい。これにより、固定具として比較的小形のものを採用できるため、後述するように固定具を目視しにくくすることが容易になるとともに、強固な固定もできる。
【００１６】
冷蔵室棚１０は、平板部１１０としての半幅棚側平板部１１１と可変棚側平板部１１２、半幅棚側側壁１０１、半幅棚側後壁１０２、ねじ孔部１０３、可変棚側側壁１０４、可変棚側後壁１０５、しきり支持部１０６、及び前側端部１０７を有する。
【００１７】
平板部１１０は平坦な面を形成しており、例えばガラスで構成することができる。
半幅棚側側壁１０１、半幅棚側後壁１０２、可変棚側側壁１０４、及び可変棚側後壁１０５は、平板部１１０より上側に上端が位置するよう突出した壁として形成されており、例えば樹脂で構成することができる。少なくとも半幅棚側後壁１０２は不透明にされている。
【００１８】
ねじ孔部１０３は、半幅棚側後壁１０２より後側かつ冷蔵室棚１０中の下側（より具体的には、半幅棚側後壁１０２の上端より低い高さ、又は、平板部１１０と略同じ高さ、又は平板部１１０より低い高さ）に位置している。これにより、冷蔵室棚１０が冷蔵室２内で固定された場合、使用者から目視しにくい位置になり、意匠性を高めることができる。ねじ孔部１０３に設けられたねじ孔は、ねじが上下方向に挿通されるように設けられている。
【００１９】
しきり支持部１０６は、半幅棚側平板部１１１と可変棚側平板部１１２との間に位置し、前後方向に延在している。しきり支持部１０６は、前端側に突き当て支持部１０６１、後端に開放部１０６３、これらの間に凹条１０６２を有する。
【００２０】
突き当て支持部１０６１は、凹条１０６２の前端を塞ぐ端壁１０６１１と、凹条１０６２の前端側上方を塞ぐ蓋壁１０６１２とを有する。蓋壁１０６１２は、後述の挟持部１１２に進入してしきり１１を支持する。
【００２１】
開放部１０６３は、凹条１０６２の後端を開放しており、しきり１１の狭幅部１１３を凹条１０６２に進入させる際にこれを容易にすることができる。
【００２２】
凹条１０６２はしきり１１を支持するべく、コ字状に形成されている。凹条１０６２は必ずしも連続して延在している必要はなく、切れ切れにされていても良い。
【００２３】
（しきり１１）
図５は実施例１に係るしきり１１の側面図である。
しきり１１は、凹条１０６２、端壁１０６１１及び蓋壁１０６１２の間に進入する突き当り部１１１と蓋壁１０６１２を挟持する挟持部１１２、凹条１０６２の凹部分に入り込む狭幅部１１３を有する。さらにしきり１１は、半幅棚８が取り付けられる切欠き１１４を上端側に有する。半幅棚８は、切欠き１１４と対になって嵌合する例えば溝（不図示）が設けられている。
【００２４】
（風路カバー１５）
図６は実施例１に係る風路カバー１５、半幅棚８、及び固定の冷蔵室棚１０の分解斜視図である。ねじ孔部１０３は、冷却パネル１４のネジボスの上方に配されてねじ（固定具）により固定される。その後、ねじ孔部１０３の上方が風路カバー１５の一部で覆われる。これにより、ねじ（固定具）を風路カバー１５で目隠しして使用者にねじが目視される虞を低減できるので、意匠性に寄与する。
【００２５】
風路カバー１５は、冷凍サイクル中の蒸発器（不図示）から発生した冷気のうち、冷蔵室ファン（不図示）によって昇圧されたものが冷蔵室２に供給される吐出口（不図示）近傍に配されるカバーである。
【００２６】
風路カバー１５は、冷蔵室２内を冷却した冷気を、蒸発器に再供給するための戻り風路を構成するカバーにすることができる。
風路カバー１５は、冷却パネル１４に対して、水平方向に締められたねじ１５１により固定されている。ねじ１５１の前面には半幅棚８が設置されており、ねじ１５１が目視される虞を低減している。ねじ１５１の位置によっては、半幅棚８でなく、固定されるほかの構成部品、たとえばしきり１１などでもよい。
【００２７】
（冷蔵室棚１０より下方の領域のレイアウト）
図７は冷蔵室棚１０の下方のレイアウトを示す図であり、図２のＢ−Ｂ断面図である。
冷蔵室棚１０の下には、冷蔵室２のコ字状の内壁に三方を囲まれて、前側に室内貯蔵室１２と給水タンク１３が、後側に給水ポンプ１６と排気ポンプ１７と電源部品収納部１８と室内貯蔵室横しきり１９が配置されている。なお、冷却パネル１４は後側の内壁に取付けられている。
【００２８】
室内貯蔵室横しきり１９は、室内貯蔵室１２と給水タンクとの間に位置しており、冷蔵室２底面に設けられた凹条（不図示）に差し込まれることで支持されるとともに、上方への移動を固定の冷蔵室棚１０により制限されているため、固定の冷蔵室棚１０を取り外さなければ、取り外すことはできない。
【００２９】
室内貯蔵室１２は冷蔵室２内に設けられるとともに、冷蔵室２とは別温度帯で食品を収納できる貯蔵室である。例えば、冷蔵室２内温度が２℃から１０℃程度であるところ、室内貯蔵室１２の一例として、−２℃から０℃程度のチルド室を設けることができる。
【００３０】
本実施例の室内貯蔵室１２はさらに、冷蔵室２とは別の機能が付与されている。具体的には、貯蔵室内を密閉構造とし、貯蔵室内の気体を排出する排気ポンプ１７が取り付けられており、貯蔵室内の酸素量を下げ、保鮮性能を向上させることができる。
【００３１】
室内貯蔵室１２は、冷蔵室２底面に設けられた突起（不図示）により、左右方向に移動させないと持ち上げられないようになっている。しかし、室内貯蔵室１２の横には、室内貯蔵室横しきり１９があるため、室内貯蔵室横しきり１９を取り外さなければ、左右方向に移動することはできない。
【００３２】
給水タンク１３は製氷室３で製氷・貯蔵される氷の材料となる水を入れる容器であり、使用者によって取り出し自在である。
【００３３】
給水ポンプ１６は、給水タンク１３の後側に設けられており、給水タンク１３内部の水を吸い上げ、製氷室３内に設置された製氷機に供給する機能を有する。
【００３４】
電源部品収納部１８は給水ポンプ１６や冷却パネル１４、排気ポンプ１７などの冷蔵室２内に設けられている電気部品の電源コードと、冷蔵庫本体から出ているコードとの結線部が収納されている。冷蔵室棚１０の下に配置されたものは、給水タンク１３を除き、冷蔵室棚１０が固定されたことにより取り出せない又は取り出しにくい構造となっている。
【００３５】
冷却パネル１４は冷蔵室２内壁にネジ固定されており、冷却パネル１４の内部の電気部品、例えば送風ファンや温度センサ（不図示）が容易には取り外せないようになっている。
【００３６】
冷却パネル１４は鉛直方向にネジが締められるようにネジボスが設けられており、冷蔵室棚１０のねじ孔部１０３でネジにより固定される。このことにより、室内貯蔵室１２は冷蔵室棚１０を外さずには取り出せない又は取り出しにくい。
【００３７】
冷却パネル１４と冷蔵室棚１０は、ねじ孔部１０３のねじ孔が鉛直方向に設けられていることにより、鉛直方向にねじ（固定具）を挿通して固定される。また、半幅棚側後壁１０２後方にねじ孔が位置するとともに半幅棚側後壁１０２が不透明にされている。半幅棚側後壁１０２を１０ｍｍ以上、冷蔵室棚１０を、床面に冷蔵庫本体を載置した状態で１１７１ｍｍ以上の高さにすることで、身長１７５ｃｍ以下の人は覗き込まない限り、ねじが見えないようになっている。このようにすることで比較的高い割合の使用者がねじを目視しにくい構成にされており、優れた美観とすることができる。
【００３８】
なお、本実施例ではねじによる固定箇所は本体奥側であるが、必ずしも奥側である必要はない。取り付け作業のしやすさ、取り付け後のネジの見えづらさなど総合してねじ位置を判断するのがよい。また、本実施例では冷蔵室棚１０を冷却パネル１４で締結したが、必ずしも冷却パネル１４に対してである必要はなく、内壁に作られたネジボスなどでもよい。
【００３９】
ねじが見えないことの利点としては、意匠性が挙げられる。本実施例の冷蔵室２の内壁や、冷蔵室棚１０などは、例えば樹脂を主に形成されるとともに、例えば白色を基調としている。例えば、冷蔵室棚１０を固定する例えば金属製のねじを水平方向に固定すると、冷蔵室２の扉を開けたときに視界に入る白色の中の１箇所にねじの金属光沢があり、大変不自然な印象を与えてしまう。このため、ねじなどの固定具を目視しにくくすることが求められる。
【００４０】
冷蔵室棚１０の固定には、ねじ以外にも方法が考えられる。例えばツメ形状と呼ばれる、樹脂の凹凸で固定する方法である。この方法はねじなどの別の締結部品を必要としない利点がある。しかし、樹脂の弾性を利用するため、取り外しの際に破損や、樹脂の白化などの問題が発生することがある。そこで、本実施例ではネジを用いた固定としている。
【符号の説明】
【００４１】
１・・・冷蔵庫本体
２・・・冷蔵室
３・・・製氷室
４・・・冷凍室
５・・・冷凍室
６・・・野菜室
７・・・可動の冷蔵室棚
８・・・半幅棚
９・・・可変棚
１０・・・固定の冷蔵室棚
１１・・・しきり
１２・・・室内貯蔵室
１３・・・給水タンク
１４・・・冷却パネル
１５・・・風路カバー
１６・・・給水ポンプ
１７・・・排気ポンプ
１８・・・電源収納部
１９・・・室内貯蔵室横しきり
【図１】
2019138478.tif 000003
【図２】
2019138478.tif 000004
【図３】
2019138478.tif 000005
【図４】
2019138478.tif 000006
【図５】
2019138478.tif 000007
【図６】
2019138478.tif 000008
【図７】
2019138478.tif 000009